(57)【特許請求の範囲】
【請求項１】
面内方向に対向した第１枠、第２枠と、面内方向に対向した２つの第３枠とで方形状の建具枠と、
対向した２つの側縁部と、対向した一端縁部、他端縁部とを有した矩形状の防虫用の網体を備え、
前記２つの第３枠は、網体の２つの側縁部をガイドする長手方向に連続したガイド溝を有し、
前記網体摺動用のシャフトの長手方向両端部に、網体ガイド用のガイド部品をそれぞれ取り付け、このシャフトと２つのガイド部品とに亘って網体を、その網体がシャフトのガイド面に沿って摺動自在で、網体の２つの側縁部が２つのガイド部品の挿入ガイド溝に沿って移動自在となるように設けて網体部材とし、
この網体部材を建具枠に、２つのガイド部品の挿入ガイド溝が、前記ガイド溝と連続するように取り付け、
前記網体の２つの側縁部を、前記２つの第３枠のガイド溝にスライド可能にそれぞれ支持することで、当該網体を２つの第３枠のガイド溝に沿って前記第１枠に向かう方向及び前記第２枠に向かう方向に移動可能に取り付け、
前記網体の一端縁部を、前記第１枠内に、当該第１枠から第２枠に向けて引き出し可能で、かつ第１枠に引き込み可能に支持し、
前記網体の他端縁部を前記第２枠に着脱自在に支持したことを特徴とする建具。
【請求項２】
前記網体の他端縁部に支持部材を取り付け、
この支持部材を、第２枠の内側面に形成した凹部に嵌め込み、抜き出し自在とすることで、前記他端縁部を第２枠に着脱自在に支持した請求項１記載の建具。
【請求項３】
前記ガイド部品の挿入ガイド溝はシャフトよりも室外側寄りに設けられ、網体の一端縁部をシャフトのガイド面を経て室内側に垂れ下げ、網体の他端縁部をシャフトのガイド面を経て室外側に垂れ下げて側縁部を挿入ガイド溝に挿入した請求項１又は２記載の建具。
【請求項４】
建具枠の２つの第３枠と第１枠との間に、ガイド部品が第１枠の長手方向挿入可能な空間部をそれぞれ有し、この各空間部に２つのガイド部品を第１枠の長手方向に沿ってけんどん式に挿入できるようにした請求項１又は２又は３記載の建具。
【発明の詳細な説明】
【技術分野】
【０００１】
本発明は、建具枠に防虫用の網体を取り付けた建具に関する。
【背景技術】
【０００２】
従来、建具枠に建具体を面内方向に移動して開閉するように装着した建具、例えば、窓枠に障子を面内方向に移動自在に装着した引き戸、引き違い窓などにおいては、網戸框組体に防虫用の網体を張設した網戸を窓枠（建具枠）に面内方向に移動自在に装着している。
他方、建具体を開閉操作部材により開閉できるようにした建具、例えば、オーニング窓、すべり出し窓、縦すべり出し窓、ガラスルーバー窓、外開き窓、突き出し窓等においては、窓枠（建具枠）に網戸を固定状態で取り付け、網体を嵌め殺し状態とすることがある。
例えば、特許文献１に開示したように、サッシ枠（建具枠）の上枠、下枠、左右の縦枠の網戸係合溝にアタッチメントを嵌合して取り付けることで、網体の四周縁をサッシ枠の内周に支持し、網体を嵌め殺し状態で取り付けるようにしている。
【先行技術文献】
【特許文献】
【０００３】
【特許文献１】特開２０１０−２７０４８７号公報
【発明の概要】
【発明が解決しようとする課題】
【０００４】
前述した従来の建具のように、建具枠に網体を嵌め殺し状態で取り付けると、その網体の室内側面は室内側から清掃できるが、網体の室外側面は室内側から清掃できない。
前述した特許文献１に開示した建具は、アタッチメントを取り外し、サッシ枠（建具枠）から網体を取り外すことで、その網体の室外側面を清掃できるが、清掃した網体は再び取り付けるので、網戸の室外側面を清掃するためにはアタッチメントを取り外し、再び嵌合しなければならず、その網戸の室外側面を室内側から清掃する作業が大変面倒である。
【０００５】
本発明の目的は、建具枠に嵌め殺し状態で取り付けた網体の室外側面を室内側から簡単に清掃できるようにした建具とすることである。
【課題を解決するための手段】
【０００６】
本発明は、面内方向に対向した第１枠、第２枠と、面内方向に対向した２つの第３枠とで方形状の建具枠と、
対向した２つの側縁部と、対向した一端縁部、他端縁部とを有した矩形状の防虫用の網体を備え、
前記２つの第３枠は、網体の２つの側縁部をガイドする長手方向に連続したガイド溝を有し、
前記網体摺動用のシャフトの長手方向両端部に、網体ガイド用のガイド部品をそれぞれ取り付け、このシャフトと２つのガイド部品とに亘って網体を、その網体がシャフトのガイド面に沿って摺動自在で、網体の２つの側縁部が２つのガイド部品の挿入ガイド溝に沿って移動自在となるように設けて網体部材とし、
この網体部材を建具枠に、２つのガイド部品の挿入ガイド溝が、前記ガイド溝と連続するように取り付け、
前記網体の２つの側縁部を、前記２つの第３枠のガイド溝にスライド可能にそれぞれ支持することで、当該網体を２つの第３枠のガイド溝に沿って前記第１枠に向かう方向及び前記第２枠に向かう方向に移動可能に取り付け、
前記網体の一端縁部を、前記第１枠内に、当該第１枠から第２枠に向けて引き出し可能で、かつ第１枠に引き込み可能に支持し、
前記網体の他端縁部を前記第２枠に着脱自在に支持したことを特徴とする建具である。
【０００８】
本発明は、前記網体の他端縁部に支持部材を取り付け、
この支持部材を、第２枠の内側面に形成した凹部に嵌め込み、抜き出し自在とすることで、前記他端縁部を第２枠に着脱自在に支持した建具とすることができる。
このようにすれば、網体の他端縁部を第２枠に簡単に支持したり、支持を解放できる。
また、支持部材を手で持つことで網体の他端縁部をスムーズに第２枠に向けて移動できる。
【０００９】
本発明は、ガイド部品の挿入ガイド溝はシャフトよりも室外側寄りに設けられ、網体の一端縁部をシャフトのガイド面を経て室内側に垂れ下げ、網体の他端縁部をシャフトのガイド面を経て室外側に垂れ下げて側縁部を挿入ガイド溝に挿入した建具とすることができる。
【００１０】
本発明は、建具枠の２つの第３枠と第１枠との間に、ガイド部品が第１枠の長手方向に挿入可能な空間部をそれぞれ有し、この各空間部に２つのガイド部品を、第１枠の長手方向に沿ってけんどん式に挿入できるようにした建具とすることができる。
【発明の効果】
【００２１】
本発明によれば、網体の他端縁部を第２枠で支持しないようにし、一端縁部を第１枠から引き出すことで、網体は２つの第３枠のガイド溝に沿って第１枠に向けて移動するので、その網体の室外側面に室内側に居る人が手を触れることができる。
したがって、建具枠に嵌め殺し状態で取り付けた網体の室外側面を室内側から簡単に清掃することができる。
また、シャフトとガイド部品と網体を組み合わせた網体部材を建具枠内に取り付け、網体の側縁部を挿入ガイド溝から第３枠のガイド溝に挿入することで網体を取り付けできるので、網体を建具枠に簡単に取り付けできる。
【図面の簡単な説明】
【００２２】
【図１】本発明の第１の参考例を示す全体縦断面図である。
【図２】本発明の第１の参考例を示す全体横断面図である。
【図３】網体の正面図である。
【図４】網体を引き出した状態の縦断面図である。
【図５】図１のシャフト取付部分の拡大断面図である。
【図６】図２のガイド溝部分の拡大断面図である。
【図７】図１の支持部材の取付部分の拡大断面図である。
【図８】図１のＡ−Ａ断面図である。
【図９】図８のガイド部品部分の拡大断面図である。
【図１０】網体の取付動作説明図である。
【図１１】本発明の第２の参考例を示すシャフト取付部分の縦断面図である。
【図１２】図１１のＢ−Ｂ断面図である。
【図１３】本発明の第３の参考例を示すシャフト取付部分の縦断面図である。
【図１４】図１３のＣ−Ｃ断面図である。
【図１５】本発明の第４の参考例を示すシャフト取付部分の縦断面図である。
【図１６】図１５のＤ−Ｄ断面図である。
【図１７】ガイド部品の斜視図である。
【図１８】本発明の実施の形態を示す網体、シャフト、ガイド部品を取り外した状態の縦断面図である。
【図１９】網体、シャフト、ガイド部品を取り外した状態の横断面図である。
【図２０】シャフトにガイド部品と網体を取り付けた網体部材の正面図である。
【図２１】図２０のＥ−Ｅ断面図である。
【図２２】ガイド部品の斜視図である。
【図２３】ガイド部品の平面図である。
【図２４】ガイド部品の側面図である。
【図２５】網体部材の取り付け説明用の縦断面図である。
【図２６】網体部材の取り付けた状態の縦断面図である。
【図２７】網体部材の取り付けた状態の横断面図である。
【発明を実施するための形態】
【００２３】
第1の参考例を説明する。
図１と図２に示すように、建具枠１に建具２を装着して建具としてある。
この参考例では建具枠１がサッシ枠で、建具２が障子であり、その障子がサッシ枠に縦すべり出し自在に装着され、ハンドル等の開閉操作部材３を操作することで障子が開閉する縦すべり出し窓としてある。
前記建具枠１は、面内方向に対向した第１枠と第２枠、例えば上枠４と下枠５及び面内方向に対向した２つの第３枠、例えば縦枠６，６を方形状に連結してある。
この建具枠１は、上枠４、下枠５が縦向きで、縦枠６が横向きとなるようにしても良い。つまり、第１枠、第２枠が横向きのときには第３枠が縦向きで、第１枠、第２枠が縦向きのときには第３枠が横向きになる。
前記建具枠１には防虫用の網体７が嵌め殺し状態で取り付けてある。
なお、嵌め殺し状態とは、網体７が開閉移動せずに常に建具枠１の開口部を閉塞する状態である。
前記網体７は図３に示すように、対向した２つの側縁部７ａと、対向した一端縁部７ｂ、他端縁部７ｃとで矩形状である。
そして、網体７の２つの側縁部７ａが図２に示すように、２つの縦枠６に、その縦枠６の長手方向にスライド可能にそれぞれ支持されている。
例えば、縦枠６は、面内方向内側に開口したガイド溝６ａを長手方向に連続して有し、そのガイド溝６ａに網体７の側縁部７ａが摺動自在に挿入して支持されている。
【００２４】
このようであるから、網体７は建具枠１に、左右の縦枠６に沿って上枠４に向かう方向及び下枠５に向かう方向に移動可能に取り付けてある。
【００２５】
前記網体７の一端縁部７ｂは図１に示すように、上枠４内に、その上枠４内から下枠５に向けて引き出し可能で、かつ引き出した状態から再び上枠４内に引き込み可能に支持されている。
このようであるから、網体７よりも室内側に居る人が、網体７の一端縁部７ｂを持って室内側に引き出すことができる。
【００２６】
例えば、上枠４内にシャフト８を配設し、そのシャフト８に網体７の一端縁部７ｂ寄りを当該シャフト８の室外側から室内側に向けて巻き掛け、該シャフト８の面内方向における下枠５と反対側のガイド面８ａに沿って網体７を面内方向（上枠４、下枠５に向かう方向）に摺動自在とすると共に、一端縁部７ｂをシャフト８よりも室内側となるようにし、網体７の一端縁部７ｂを手で持って下枠５に向けて移動することで、網体７がシャフト８のガイド面８ａに沿って上枠４内から引き出しされるように構成する。このとき、網体７の側縁部７ａが縦枠６に沿ってスライドし、網体７の他端縁部７ｃが上枠４に向けて移動する。
前述の上枠４内に配設したシャフト８とは、シャフト８を上枠４又は縦枠６、あるいは後述するガイド部品に取り付け、そのシャフト８が上枠４内に、その長手方向全長に亘って配設されていることである。
つまり、シャフト８は、建具枠１に取り付けられ、上枠４内に、その長手方向に連続して配設されていれば良い。
なお、シャフト８は後述するように上枠４又は縦枠６又はガイド部品（建具枠１）に着脱自在に取り付けることが望ましい。
【００２７】
前記網体７の他端縁部７ｃは図１に示すように、下枠５に着脱自在に支持されている。
例えば、下枠５に、面内方向内側に向けて開口した凹部５ａを長手方向に亘って形成する。前記網体７の他端縁部７ｃに支持部材９を取り付ける。この支持部材９は図３に示すように、網体７の他端縁部７ｃの全長よりも若干短く、支持部材９の長手方向両端部は縦枠６のガイド溝６ａには嵌まり込むことがなく、縦枠６とは離隔している。
この支持部材９を下枠５の凹部５ａに嵌め込むことで、網体７の他端縁部７ｃを下枠５に支持する。
前記支持部材９を凹部５ａから抜き出すことで、網体７の他端縁部７ｃを下枠５から離脱し、支持を解放する。
このようにすれば、網体７の他端縁部７ｃを下枠５に簡単に支持したり、支持を解放したりすることができる。
網体７の他端縁部７ｃを下枠５に着脱自在に支持するには、前述の構成に限ることはなく、面ファスナー、着脱容易なねじなどでも良い。
【００２８】
このようであるから、建具枠１に嵌め殺し状態で取り付けてある網体７の室外側面７ｄを室内から清掃する場合には、前記支持部材９を凹部５ａから抜き出して網体７の他端縁部７ｃの支持を解放する。
この状態で、図４に示すように、網体７の一端縁部７ｂを上枠４内から室内側に向けて引き出すことで、室内側に居る人が、その網体７の室外側面７ｄに手を触れることができるから、網体７の室外側面７ｄを室内から簡単に清掃することができる。
【００２９】
前述のように、上枠４内から引き出した網体７を元の状態、つまり建具枠１に嵌め殺し状態で取り付ける場合には、前述の支持部材９の把手部９ａを手で持ち、その支持部材９を下枠５に向けて移動することで、網体７の一端縁部７ｂを順次上枠４内に引き込む。
そして、支持部材９を下枠５の凹部５ａに嵌め込むことで網体７の他端縁部７ｃを下枠５に支持し、網体７を建具枠１内に嵌め殺し状態で取り付ける。
【００３０】
このように、網体７の他端縁部７ｃの略長手方向全長に亘って支持部材９を取り付け、この支持部材９の把手部９ａを持って移動することで、その支持部材９の剛性によって網体７の他端縁部７ｃが一直線状に保持されるから、２つの側縁部７ａが同時に移動する。
したがって、網体７の他端縁部７ｃをスムーズに下枠５に向けて移動できる。
【００３１】
前述のように、支持部材９を下枠５の凹部５ａに嵌め込むことで網体７が下枠５に向けて移動するので、このことを利用して網体７を、対向した一端縁部７ｂ、他端縁部７ｃの方向、つまり、上枠４と下枠５の方向に緊張した状態とするために、網体７の一端縁部７ｂをシャフト８に着脱自在に固着し、前述のように支持部材９を凹部５ａに嵌合したときに、その一端縁部７ｂが面内方向に動かないようにする。
例えば、図５に示すようにシャフト８の面内方向における下枠５側の取付面８ｂと、網体７の一端縁部７ｂに面ファスナー１０の雄テープ１０ａと雌テープ１０ｂを取り付け、その面ファスナー１０によって網体７の一端縁部７ｂをシャフト８に着脱自在に固着する。
【００３２】
このようにすれば、網体７の一端縁部７ｂをシャフト８に固着した状態で、支持部材９を凹部５ａに嵌め込むことで、網体７に一端縁部７ｂと他端縁部７ｃの方向の張力が付与されるから、網体７を上枠４と下枠５との方向に緊張することができる。
【００３３】
なお、前述のように網体７の一端縁部７ｂをシャフト８に巻き掛けて面ファスナー１０でシャフト８に固着するようにすれば、前述のように網体７の他端縁部７ｃを下枠５に支持した状態で、網体７の一端縁部７ｂをシャフト８から離脱し、その一端縁部７ｂを強く引いてシャフト８に強く巻き掛けた状態で面ファスナー１０でシャフト８に固着することで、網体７の上枠４、下枠５方向に緊張することができる。
前記網体７の一端縁部７ｂは上枠４に着脱自在に固着しても良い。
【００３４】
前記網体７は、図３に示すように網７０の２つの側縁部と１つの端縁部に、スライドファスナーのファスナーストリンガー７１をそれぞれ取り付けてある。
前記ファスナーストリンガー７１のエレメント（務歯）７２が網７０、ファスナーストリンガー７１のファスナーテープ７３よりも厚さ方向に張り出し、そのエレメント７２が膨出部となっている。
【００３５】
前記上枠４は図１に示すように、本体部４０と建具体取付部４１と網体支持部４２を有し、建具体取付部４１が室外側寄りで、網体支持部４２が室内側寄りである。
前記網体支持部４２は、図５に示すように、下枠５及び室内側に向けて開口した凹陥部４３と、この凹陥部４３の開口部４３ａを開閉するカバー体４４とで空洞部４５を形成している。
この凹陥部４３内に前記シャフト８が設けられ、網体７の一端縁部７ｂは凹陥部４３の開口部４３ａから凹陥部４３内に入り込み、シャフト８に巻き掛けてシャフト８に固着してある。
前記網体７の一端縁部７ｂはシャフト８に巻き掛けてカバー体４４に着脱自在に固着しても良い。
【００３６】
このようであるから、カバー体４４で開口部４３ａを閉じることで、シャフト８、網体７の一端縁部７ｂが目視されないから、見栄えが良い。
また、前記カバー体４４で開口部４３ａを開放することで、開口部４３ａから凹陥部４３内に手を入れて網体７の一端縁部７ｂをシャフト８から離脱し、開口部４３ａから引き出すことができる。
【００３７】
前記下枠５、縦枠６は、図１、図２に示すように前述の上枠４と同様に、本体部５０，６０、建具体取付部５１，６１、網体支持部５２，６２を有し、建具体取付部５１，６１が室外側寄りで、網体支持部５２，６２が室内側寄りである。左右の縦枠６は同一断面形状であるが、異なる断面形状でも良い。
前記上枠４、下枠５、縦枠６の建具体取付部４１，５１，６１、網体支持部４２，５２，６２は、それぞれ四周連続し、かつ建具体取付部４１，５１，６１よりも網体支持部４２，５２，６２が面内方向の内側に張り出している。
図１、図２に示す建具体においては、本体部４０，５０，６０と網体取付部４２，５２，６２が別体で、本体部が金属（アルミ）製で、網体取付部が樹脂製である。
これに限ることはなく、一体でも良いことは勿論である。
【００３８】
前記下枠５の網体支持部５２の面内方向の内側面５２ａに前述した凹部５ａが形成してある。
前記縦枠６の網体支持部６２の面内方向の内側面６２ａに、面内方向内側に向かう張り出し部６３が設けてあり、この張り出し部６３に前述のガイド溝６ａが設けてあり、このガイド溝６ａは前記内側面６２ａ（縦枠６の室内側内側面に相当）よりも面内方向内側寄りである。
このガイド溝６ａと前記凹部５ａは面外方向（室内外側方向）に同一位置で、上枠４の凹陥部４３の開口部４３ａと対向している。
図６に示すように、縦枠６の網体取付部６２の張り出し部６３に、その内側面６３ａに開口した凹部６４が形成され、この凹部６４にガイド溝６ａを有するアタッチメント６５が嵌合して取り付けてある。
【００３９】
このように、縦枠６の網体支持部６２の面内方向の内側面は、室内側寄り（前述の内側面６２ａ）がガイド溝６ａを有する室外側寄り（前述の内側面６３ａ）よりも面内方向の外側となるように段差を有している。
前記網体支持部６２の室内側寄りの内側面（前述の内側面６２ａ）は、網体７の側縁部７ａよりも面内方向の外側に位置している。
【００４０】
前記アタッチメント６５は、仕切片６６を境として中空部６７と凹部６８を面内方向に離隔して有し、その仕切片６６にスリット状のガイド溝６ａが形成されている。
このガイド溝６ａに網体７の側縁部７ａ（ファスナーストリンガー７１のファスナーテープ７３）が挿通し、エレメント７２が中空部６７に位置している。
これにより、エレメント７２がガイド溝６ａを通って凹部６８に移動できないから、網体７の側縁部７ａがガイド溝６ａから長手方向と直角方向に抜けることがなく、前述のように網体７を上枠４から引き出し、引き込みするときに、縦枠６から外れることがない。
【００４１】
前記アタッチメント６５を用いることなく、縦枠６にガイド溝６ａを一体に形成しても良い。
例えば、図６における凹部６４の開口縁に連結片を設けて中空部とし、その連結片にスリット状のガイド溝６ａを形成する。
【００４２】
前記支持部材９は、図７に示すように、前記凹部５ａに嵌合する本体９０と把手９１を有し、その本体９０はスリット状の開口部９２で開口した凹溝９３を有した長尺材である。
そして、網体７の他端縁部７ｃを支持部材９の凹溝９３に、長手方向から挿入し、ファスナーストリンガー７１のエレメント７２が開口部９２から抜けないようにして網体７の他端縁部７ｃに支持部材９を取り付けている。
なお、網体７の他端縁部７ｃを下枠５に支持するには、凹部５ａと支持部材９に限ることはなく、任意の連結手段を用いることができる。例えば、面ファスナーやスナップ釦など。
【００４３】
前記上枠４の網体支持部４２の凹陥部４３は図５に示すように、面外方向に向かう横片４６と、面内方向の内側に向かう室外側内向片４７、室内側内向片４８で下枠５に向けて開口した略コ字形状で、室外側内向片４７の内端部４７ａは室内側に向けて折曲している。
前記室内側内向片４８は室外側内向片４７よりも短く、その内端部４８ａは断面ほぼ円形状となっている。
前記室外側内向片４７の内端部４７ａと室内側内向片４８の内端部４８ａとの間が前述の開口部４３ａで、この開口部４３ａは下枠５のみではなく、室内側に向けても開口し、凹陥部４３内に室内側から手を入れ易いようにしてある。
なお、室内側内向片４８がなく、横片４６と室外側内向片４７で凹陥部４３としても良い。
【００４４】
前記カバー体４４は、面内方向に向かう第１片４４ａと面外方向に向かう第２片４４ｂでほぼ鉤形状で、その第１片４４ａの端部４４ｃが前記室内側内向片４８の内端部４８ａに回動自在に嵌め合わせ、このカバー体４４は開口部４３ａを閉じる閉じ姿勢と、開口部４３ａを開放する開き姿勢とに亘って室内外側方向に向けて回動自在である。
このカバー体４４を閉じ姿勢とすると、第２片４４ｂの室外側端部４４ｄと室外側内向片４７の内端部４７ａが室内外方向の隙間を有して対向し、その隙間に網体７が挿通する。
【００４５】
前述したシャフト８は、凹陥部４３とカバー体４４より成る空洞部４５内に配設され、このシャフト８の外周面と凹陥部４３の内面との間を網体７が移動可能である。
前述のシャフト８は後述するように建具枠１に着脱自在に取り付けてあり、カバー体４４を開き姿勢として開口部４３ａを開放することで、シャフト８を凹陥部４３内に出し入れ可能としてある。
【００４６】
前記上枠４と縦枠６は、縦枠６の網体支持部６２の上部寄りを切断等して除去し、上枠４の長手方向端部を縦枠６の本体部６０にビス等で固着して連結してある。
前記上枠４の網体支持部４２は縦枠６の網体支持部６２の内側面６２ａまで連続し、前述した凹陥部４３（空洞部４５）の長手方向両端部分は縦枠６の張り出し部６３の長手方向端面と対向して、ガイド溝６ａと連続していると共に、カバー体４４の第２片４４ｂの長手方向両端部は鉤形状に切欠きされ、縦枠６の網体支持部６２の内側面６２ａ（縦枠６の室内側内側面）と張り出し部６３の内側面６３ａに接している（図８、図９参照）。なお、図８、図９には後述するガイド部品２０が図示してある。
【００４７】
このようであるから、カバー体４４を開き姿勢に回動することで、縦枠６のガイド溝６ａは、上枠４の凹陥部４３を経て室内側に連続するので、網体７の２つの側縁部７ａを、室内側から左右の縦枠６の網体支持部６２の内側面６２ａ間を通してガイド溝６ａに挿入できる。
したがって、支持部材９を手で持ち、網体７の２つの側縁部７ａを左右の縦枠６のガイド溝６ａに挿入して網体７を左右の縦枠６に沿って移動可能に取り付けできる。
なお、このとき、シャフト８は取り付けていない。
【００４８】
前述のようにすることで、網体７の２つの側縁部７ａを左右の縦枠６のガイド溝６ａに挿入することができるが、縦枠６のガイド溝６ａの端部は上下方向（上枠４に向かう方向）に開口していると共に、そのガイド溝６ａは図２に示すように縦枠６の室内側面（網戸支持部６２の室内側面６２ｂ）よりも室外側寄りに位置しているので、網体７の２つの側縁部７ａをガイド溝６ａに挿入するには、凹陥部４３内の室外側寄りで、その２つの側縁部７ａを縦向きとして挿入しなければならず、面倒である。
このことを解消するために、図１、図５に示すように、建具枠１にガイド部品２０を取り付け、網体７の２つの側縁部７ａをガイド溝６ａに挿入し易くしてある。
【００４９】
前述したガイド部品２０は、図５、図８、図９に示すように、上枠４の凹陥部４３の長手方向両端寄りに、前記縦枠６の網体支持部６２と連続して設けられ、その網体支持部６２のガイド溝６ａを室内側まで連続する挿入ガイド溝２１を有する。
この挿入ガイド溝２１の室内外側方向に向かう形状は、ガイド部品２０の室内側面２０ａに開口した室内外側方向に向かう第１の溝２１ａと下枠５に向かう面内方向一側面２０ｂに開口した面内方向の下枠５方向に向かう第２の溝２１ｂで略鉤形状である。
前記挿入ガイド溝２１の上枠４の長手方向に向かう形状は、網体７の側縁部７ａの薄い部分（ファスナーストリンガー７１のファスナーテープ７３）が挿通するスリット状溝部２１ｃと膨出部（ファスナーストリンガー７１のエレメント７２）が挿通する幅広い溝部２１ｄを有する段付きの形状で、スリット状溝部２１ｃが面内方向の内側面（左右反対側の縦枠６に向かう面）２０ｃに開口している。
【００５０】
このようであるから、カバー体４４を開き姿勢とすることで、挿入ガイド溝２１の第１の溝２１ａが、縦枠６の網体支持部６２の室内側部である平坦な面内方向の内側面６２ａと隣接したスペース及び、凹陥部４３の開口部４３ａから室内側に向けてそれぞれ開口するので、網体７の２つの側縁部７ａを、前述のスペースにおいて室内側から水平に向かうようにして第１の溝２１ａに挿入し、順次スライド移動することで第２の溝２１ｂから縦枠６のガイド溝６ａに挿入するので、綱体７の２つの側縁部７ａを室内側から縦枠６のガイド溝６ａに挿入する作業がやり易い。
【００５１】
前述したシャフト８は網体７を取り付け、取り外しする際には建具枠１から取り外しするので、前述したガイド部品２０に着脱自在に取り付けてある。
図５、図８、図９に示すように、シャフト８を、ガイド部品２０の面内方向の内側面２０ｃにおける挿入ガイド溝２１よりも面内方向の下枠５側に取り付けできる大きさで、左右のガイド部品２０の面内方向の内側面２０ｃ間の距離よりも若干短い長さとし、その長手方向両端部に支軸８ｃを設ける。
前記ガイド部品２０の面内方向の内側面２０ｃに凹部２２を形成し、この凹部２２に支軸８ｃを嵌め込むことでシャフト８をガイド部品２０に着脱自在に取り付ける。
【００５２】
例えば、支軸８ｃをシャフト８の端面から突出した状態と、没した状態に図示しないレバーで移動して保持できるようにし、支軸８ｃを没した状態でシャフト８を左右のガイド部品２０間に設け、支軸８ｃを突出させて凹部２２に嵌め込んで取り付ける。
シャフト８を取り外す場合には、支軸８ｃを没した状態として凹部２２から抜き出し、シャフト８を左右のガイド部品２０間から取り外す。
【００５３】
次に、建具枠１に網体７を取り付ける作業の一例を説明する。
上枠４のカバー体４４を開き姿勢として凹陥部４３の開口部４３ａを開放する。このとき、シャフト８は取り付けていない。
網体７の支持部材９を手で持ち、その２つの側縁部７ａにおける他端縁部７ｃ寄りを、左右のガイド部品２０の挿入ガイド溝２１をガイドとして左右の縦枠６のガイド溝６ａに挿入する（図１０参照）。
この後、支持部材９を手で持って網体７の他端縁部７ｃを順次下方、つまり下枠５に向かう方向に移動することで、網体７を下枠５に向けて順次移動する。
【００５４】
前述のようにして網体７を下枠５に向けて順次移動し、支持部材９を下枠５の凹部５ａに嵌め込んで網体７の他端縁部７ｃを下枠に支持すると、網体７の一端縁部７ｂ寄り部分が上枠４の凹陥部４３内で、ほぼ下向きＵ字状に湾曲した状態になる。
【００５５】
この後に、上枠４の凹陥部４３内にシャフト８を入れ、前述のようにしてシャフト８をガイド部品２０に取り付ける。
シャフト８を取り付けしたら、網体７の一端縁部７ｂをシャフト８に巻き掛け、面ファスナー１０でシャフト８に固着する。
このとき、網体７の一端縁部７ｂをシャフト８に強く巻きつけて網体７に張力を付与し、網体７を上枠４と下枠５との方向に緊張して取り付ける。
最後にカバー体４４を閉じ姿勢として開口部４３を閉じる。
なお、下枠５の凹部５ｂに支持部材９を嵌め込む前にシャフト８を上枠４の凹陥部４３内に入れてガイド部品２０に取り付けるようにしても良い。
このようにすれば、支持部材９を下枠６に向けて移動するときに網体７がシャフト８のガイド面８ａに沿って摺動するから、支持部材９を移動し易いと共に、凹部５ａに嵌め込み易い。
【００５６】
前記網体７を取り外す場合には、カバー体４４を開き姿勢とすると共に、支持部材９を凹部５ａから抜き出す。この作業はどちらかが先でも後でも良い。
網体７の一端縁部７ｂをシャフト８から外し、網体７の一端縁部７ｂを順次引き出す。そして、支持部材９がシャフト８に接近した状態まで引き出したら、そのシャフト８を取り外し、支持部材９を手で持って網体７の２つの側縁部７ａをガイド溝６ａから完全に抜き出し、網体７とともに支持部材９を凹陥部４３から取り出す。
【００５７】
このようであるから、網体７を建具体１に簡単に取り付けたし、外したりすることができる。
前述のカバー体４４の取り付けは、回動自在に限ることはない。
例えば、つまみを持って左右にスライドすることで取り付け、取り外しできるようにしたり、上枠４とカバー体４４に係止片と係止受片を設け、その係止片と係止受片を係脱することでカバー体４４を着脱自在に取り付ける。
【００５８】
本発明の第２の参考例を図１１、図１２に基づいて説明する。
この参考例は、ガイド部品２０の挿入ガイド溝２１の形状が前述の第１の参考例と相違する。
つまり、ガイド部品２０の挿入ガイド溝２１を室内側の第１の溝２１ｅと室外側の第２の溝２１ｆと湾曲した第３の溝２１ｇでほぼＵ字形状とし、第１の溝２１ｅをガイド溝６ａよりも室内側寄りにおいて下枠５に向けて開口し、第２の溝２１ｆをガイド溝６ａと連続するように下枠５に向けて開口する。
【００５９】
このようにすれば、網体７の２つの側縁部７ａを左右の挿入ガイド溝２１の第１の溝２１ｅに向けて面内方向に向けて移動して挿入でき、上枠４の面内方向内側から網体７の２つの側縁部７ａを２つのガイド部品２０の挿入ガイド溝２１を通して左右の縦枠６のガイド溝６ａに挿入することができる。
したがって、上枠４の凹陥部４３が面内方向の内側にのみ開口し、網体７を室内側から水平方向に移動して凹陥部４３内に移動できない場合にも対応できる。
【００６０】
例えば、凹陥部４３を形成する室外側内向片４７と室外側内向片４８が同一長さ、もしくは室内側内向片４８が長い場合に対応できる。
この場合には、カバー体４４を平板状として室内側内向片４８に着脱自在に取り付ける。
【００６１】
本発明の第３の参考例を図１３、図１４に基づいて説明する。
この参考例は、縦枠６の形状が前述の第１・第２の参考例と相違する。
前述の第１・第２の参考例では、縦枠６の網体支持部６２は、ガイド溝６ａよりも室内側寄りに網体７の側縁部７ａをガイド溝６ａに挿入可能に位置できるスペースを有した形状である。
例えば、網体支持部６２の面内方向の内側面は、室内側寄り内側面（内側面６２ａ）が、ガイド溝６ａが開口した室外側寄り内側面（張り出し部６３の内側面６３ａ）よりも面内方向の外側に位置する段差を有する形状で、その室内側寄り内側面に網体７の側縁部７ａを位置させることで、その側縁部７ａはガイド溝６ａと対向する。
【００６２】
これに対して第３の参考例は、縦枠６の網体支持部６２の面内方向の内側面６２ａは、室内側から室外側までほぼ直線状で、ガイド溝６ａよりも室内側寄りに前述のスペースがない形状である。
例えば、網体支持部６２の面内方向の内側面６２ａの室外側寄りにガイド溝６ａが形成され、かつ内側面６２ａの室内側寄りは平坦面としてある。
そして、上枠４の凹陥部４３を閉じるカバー体４４は前述の内側面６２ａまでの長さである。
【００６３】
この場合には、ほぼＵ字状の挿入ガイド溝２１を有したガイド部品２０を前述と同様にガイド溝６ａの上方に位置して設け、その挿入ガイド溝２１の第２の溝２１ｆを縦枠６のガイド溝６ａと連続させると、第１の溝２１ｅが網体支持部６２の面内方向の内側面６２ａよりも面内方向の外側寄りに位置し、上枠４の凹陥部４３と連続しないので、網体７の側縁部７ａを室内側からガイド部品２０の第１溝２１ｅに挿入できない。
【００６４】
第３の参考例では、縦枠６の網体取付部６２の面内方向の内側面６２ａの室内側寄りで上枠４側に、開口部６９を形成し、この開口部６９に補助ガイド部品３０を取り付けてある。
この補助ガイド部品３０は補助挿入ガイド溝３１を有し、その補助挿入ガイド溝３１は前記ガイド部品２０の第１の溝２１ｅと連続し、かつ面内方向の内側面３０ａに開口している。
【００６５】
このようであるから、網体７の２つの側縁部７ａを補助ガイド部品３０の挿入ガイド溝３１を通してガイド部品２０の第１の溝２１ｅに挿入できるので、前述と同様にして網体７の側縁部７ａをガイド溝６ａまで挿入ガイドとすることができる。
【００６６】
本発明の第４の参考例を図１５〜図１７に基づいて説明する。
この参考例は、縦枠６の網体支持部６２が前述の第３の参考例と同様で、ガイド部品２０の形状が相違する。
この参考例のガイド部品２０の挿入ガイド溝２１は、前述の第１の参考例の挿入ガイド溝２１と同様に室内側面２０ａに開口した第１の溝２１ａと面内方向の一側面２０ｂに開口した第２の溝２１ｂとで室内外側方向に略鉤形状で、ガイド部品２０の面内方向の内側面における前述の挿入ガイド溝２１のスリット状溝２１ｃが開口した面内方向の内側面２３は、室内側部２３ａが縦枠６の網体支持部６２の面内方向の内側面６２ａよりも面内方向の内側に突出し、かつ室外側部２３ｂが前述の内側面６２ａとほぼ面一となるように室内側面２０ａと直角に対して室内外方向に湾曲している。
前記ガイド部品２０のシャフト８を取り付ける部分（凹部２２を形成した部分）の面内方向の内側面２４は、前述の内側面２３の室内側部２３ａと同一位置で、かつ室内側面２０ａと直角である。
【００６７】
このようにすることで、挿入ガイド溝２１の室内側面２０ａに開口した室内側部分２１ｈは、図１６に示すように縦枠６の網体支持部６２の面内方向の内側面６２ａよりも面内方向の内側に突出する。
その挿入ガイド溝２１の面内方向一側面２０ｂに開口した室外側部分２１ｉは図１５に示すように縦枠６のガイド溝６ａと連続する。
したがって、網体７の２つの側縁部７ａにおける他端縁部７ｃ寄りをガイド部品２０の挿入ガイド溝２１を通して縦枠６のガイド溝６ａに室内側からスムーズに挿入できる。
【００６８】
例えば、支持部材９を弓形状に弾性変形することで網体７の２つの側縁部７ａ方向の長さ（幅）を短くし、その２つの側縁部７ａを挿入ガイド溝２１の室内側部分２１ｈから第１の溝２１ａに挿入する。
この状態で、支持部材９を室外側に向けて移動することで側縁部７ａを挿入ガイド溝２１に沿って順次移動し、室外側部分２１ｉから縦枠６のガイド溝６ａに挿入する。
このとき、支持部材９の長手方向両端部をガイド部品２０の面内方向の内側面２３に接しながら移動することで、弓形状に弾性変形した支持部材９は直線状に弾性復元する。
【００６９】
また、ガイド部品２０のシャフト８を取り付ける部分の面内方向の内側面２４は室内側面２０ａと直角であるから、シャフト８を前述と同様に取り付け、取り外しできる。
【００７０】
本発明の実施の形態を説明する。
前述の各参考例では、縦枠６にガイド部品２０を取り付け、網体７の側縁部７ａを、ガイド部品２０の挿入ガイド溝２１に沿って縦枠６のガイド溝６ａまで挿入し、そのガイド部品２０にシャフト８を取り付けるようにしているが、本発明の実施の形態では、シャフト８にガイド部品２０を取り付けると共に、そのシャフト８とガイド部品２０に亘って網体７を摺動自在に設け、この状態でガイド部品２０とともにシャフト８を縦枠６に取り付けるようにしている。
【００７１】
図１８に示すように、建具枠１の上枠４は図１に示す第１の参考例の上枠４と略同じ形状であるが、網体支持部４２の形状が若干相違し、この上枠４の網体支持部４２は、横片４６と室外側内向片４７と室内側内向片４８で下枠５に向けて開口した略コ字形状で、その室内側内向片４８は室外側内向片４７よりも短く、その内端部には室外側に向かう突片４８ｂを有している。
前記横片４６の室内側寄りに設けた垂下片４９と前記突片４８ｂとでカバー体支持部４６ａを形成している。
【００７２】
図１８に示すように、建具枠１の下枠５は図１に示す第１の参考例の下枠５と同一形状である。
【００７３】
図１９に示すように、建具枠１の縦枠６は図２に示す第２の参考例の縦枠６と略同じ形状であるが、網体支持部６２の形状が相違し、この縦枠６の網体支持部６２は、その面内方向の内側面６２ａに前述の張り出し部６３が存在せずに、その内側面６２ａが室内外側方向に亘って一直線状の平坦面である。
この網体支持部６２の室外側寄りに、前述のアタッチメント６５を長手方向から挿入して取り付ける内側面６２ａに開口した凹部６４を有し、室内側寄りには中空部６９を有し、この中空部６９の面内方向外側の外側内面６９ａは凹部６４の底面６４ａと面内方向に同一位置である。
【００７４】
つまり、網体支持部６２は、面内方向に向かう室内側板６２−１と室外側板６２−２と、この室内側板６２−１と室外側板６２−２を連続する面外方向に向かう面内方向内側の内側板６２−３、面内方向外側の外側板６２−４と、この内側板６２−３と外側板６２−４を連続する面内方向に向かう仕切板６２−５を有し、その内側板６２−３の室外側寄りに開口部を有して前述の凹部６４を形成していると共に、仕切板６２−５よりも室内側寄りに中空部６９を有している。
【００７５】
そして、縦枠６の本体部６０の上部寄りを平坦面とすると共に、網戸支持部６２の上部寄りを切断して除去し、上枠４の本体部４０を縦枠６の本体部６０の上部寄りに接してビスで連結し、上枠４の網体支持部４２を縦枠６の本体部６０の上部寄りまで連続させる。
【００７６】
図１８に示すように、縦枠６の網体支持部６２の室外側部で上部寄りは鉤形に切断して除去され、その切断した部分の面外方向に向かう上端面６２ｃは、上枠４の網体支持部４２の室外側内向片４７の下端面と同一高さで、室外側に向かう縦端面６２ｄは、上枠４の網体支持部４２の室内側内向片４８（突片４８ｂ）と面外方向に同一位置である。
そして、縦枠６の網体支持部６２の切断部分（上端面６２ｃ、縦端面６２ｄ）と上枠４の網体支持部４２（凹陥部４３）とで、後述するガイド部品を挿入して支持する空間部Ｓを形成している。
【００７７】
前記アタッチメント６５の上端面６５ａは前述した切断部分の上端面６２ｃよりも下方に位置し、凹部６４の上部には、このアタッチメント６５の上端面６５ａを底面とする上方に開口した上向凹部６４ａを形成している。
【００７８】
図２０と図２１に示すように、シャフト８の長手方向両端部にガイド部品２０がそれぞれ取り付けてある。このガイド部品２０はシャフト８の長手方向両端面よりも側方に突出していると共に、シャフト８の外周面よりも張り出している。
このシャフト８と２つのガイド部品２０とに亘って網体７を、当該シャフト８のガイド面に沿って摺動自在で、網体７の側縁部７ａがガイド部品２０に沿って移動自在となるように設けて網体部材としてある。
そして、網体７の一端縁部７ｂに面ファスナー１０（雌テープ１０ｂ）を取り付け、他端縁部７ｃに支持部材９を取り付ける。
【００７９】
網体７の幅寸法（左右の側縁部７ａ間の寸法）はシャフト８の長さよりも大きく、左右のガイド部品２０間の寸法よりも小さく、ガイド部品２０は網体７の側縁部７ａよりも側方に突出している。
支持部材９はシャフト８よりも短く、その長手方向両端部が左右のガイド部品２０の内側面２０ｃと干渉しないようにしてある。
【００８０】
ガイド部品２０は、前述した上枠４の網体支持部４２（凹陥部４３）と縦枠６の網体支持部６２の切断部分である上端面６２ｃ、縦端面６２ｄとの間に形成された空間部Ｓ内に、上枠４の長手方向に沿って面内方向に挿入して支持できるようにしてある。
これにより、シャフト８とガイド部品２０と網体７を組み合わせた網体部材を、前述の左右の空間部Ｓ内に、上枠４の長手方向に沿って左右けんどん式に挿入して取り付けできる。
【００８１】
前記ガイド部品２０は、図２２〜図２４に示すように、水平板状の本体２５の上面にシャフト連結部２６を設けてある。例えば、本体２５の上面に立上り片２６ａを設け、この立上り片２６ａの側面に筒形状の突起２６ｂを設けある。
そして、シャフト８の長手方向両端部を左右のガイド部品２０のシャフト連結部２６に連結してシャフト８の長手方向両端部にガイド部品２０を取り付ける。例えば、シャフト８を突起２６ｂが嵌合する筒形状とし、そのシャフト８の長手方向両端部を左右のガイド部品２０の突起２６ｂに嵌合して連結する。
前記突起２６ｂは本体２５の内側端面２５ａよりも内方に突出している。
【００８２】
ガイド部品２０の本体２５のシャフト支持部２６よりも室内側寄りに室内側縦板２７が設けてあり、シャフト支持部２６よりも室外側寄りに室外側ガイド部材２８が設けてあると共に、本体２５のシャフト支持部２６よりも面内方向外側寄り（突起２６ｂと反対側）に支持片２９が設けてある。
この室内側縦板２７の内側端面２７ａ、室外側ガイド部材２８の内側端面２８ａが本体２５の内側端面２５ａと面内方向に同一位置で、それらの内側端面が前述のガイド部品２０の内側面（２０ｃ）である。
室内側縦板２７の室内側面２７ｂがガイド部品２０の室内側面２０ａで、室外側ガイド部材２８の室外側面２８ｂがガイド部品２０の室外側面２０ｄである。
【００８３】
室外側ガイド部材２８は、室内側縦板２８ｃと室外側縦板２８ｄを連結板２８ｅで連結したコ字形状で、前述の挿入ガイド溝２１を形成している。
この挿入ガイド溝２１は室外側ガイド部材２８の内側端面２８ａ、下面２８ｆと上面２８ｇに貫通していると共に、図２３に示すように突起２６ｂと平行で、かつ突起２６ｂよりも面内方向外側まで突出し、シャフト８に接して設けた網体７の側縁部７ａを上下方向にガイドする。
この室外側ガイド部材２８の下面２８ｆは本体２５の下面２５ｂよりも下方に突出し、その本体２５の下面２５ｂには縦枠６の網体支持部６２の中空部６９に嵌合する下向きの突出部２５ｃが設けてある。
【００８４】
ガイド部品２０のシャフト連結部２６の上面と突出部２５ｃの下面との間の高さ寸法は、前述した空間部Ｓの高さ寸法よりも小さく、ガイド部品２０の室内外側方向の寸法は空間部Ｓの室内側方向の寸法と同一で、室外側ガイド部材２８の室内外側方向の寸法は縦枠６の凹部６４の幅と同一で、突出部２５ｃの室内外方向の寸法は縦枠６の中空部６９の幅と同一である。
【００８５】
そして、前述の網体７、シャフト８、ガイド部品２０を組み合わせた網体部材を取り付けるには、図２５に示すように、網体７の一端縁部７ｂがシャフト８のガイド面から室内側に垂れ下がると共に、他端縁部７ｃがシャフト８のガイド面から室外側に垂れ下がると共に、支持部材９の下面が室外側ガイド部材２８の下面２８ｆと略同一高さとなるように網体７をシャフト８のガイド面に沿って引き下げ、シャフト８を水平で、左右一方が室外側寄りとなるように室内外側方向に斜めとして左右一方に移動し、一方のガイド部品２０を一方の空間部Ｓ内に挿入し、シャフト８を室内外側方向に平行として他方のガイド部品２０を他方の空間部Ｓと対向する。
この後にシャフト８を左右他方に移動して他方のガイド部品２０を他方の空間部Ｓ内に挿入する。
つまり、上枠４の長手方向に沿って左右けんどん式に左右のガイド部品２０を左右の空間部Ｓ内に挿入する。
【００８６】
ガイド部品２０が空間部Ｓに挿入すると、その室内側面２０ａが切欠部分の縦端面６２ｄに接し、室外側面２０ｄが上枠４の網体支持部４２の室外側内向片４７に接し、ガイド部品２０は室内外側方向に動くことがないように支持される。
【００８７】
前述のようにして左右のガイド部品２０を左右の空間部Ｓ内に挿入した後に、網体部材を下方に移動し、図２６、図２７に示すように、突出部２５ｃを網体支持部６２の中空部６９内に嵌合すると共に、室外側ガイド部材２８の下端部を縦枠６の凹部６４の上部に形成した上向き凹部６４ａに嵌合し、本体２５の下面２５ｂを切欠部分の上端面６２ｃに当接する。
これと同時に、支持片２９が前述の中空部６９の外側内面６９ａに接する。
これによって、ガイド部品２０を空間部Ｓ内にしっかりと取り付けできる。
【００８８】
前述のように左右のガイド部品２０を左右の空間部Ｓ内に取り付けた状態で、図２７に示すようにガイド部品２０の内側面２０ｃは縦枠６の網体支持部６２の内側面６２ａよりも内方に突出しないようにしてある。
【００８９】
前述のようにしてガイド部品２０を空間部Ｓ内に取り付けた後に、支持部材９を手で持って下方に移動し、網体７の側縁部７ａを縦枠６のガイド部６ａ内に順次挿入し、支持部材９を下枠５の凹部５ａに嵌合する。
これにより、網体７の一端縁部７ｂがシャフト８に接近し、その一端縁部７ｂに設けた面ファスナー１０の雌テープ１０ｂをシャフト８の下面に設けた雄テープ１０ａに係着してシャフト８に固定する（図２６参照）。
【００９０】
そして、図２６に示すように上枠４の網体支持部４２に、カバー体４４を左右の縦枠６の網体支持部６２の内側面６２ａ間に亘って取り付け、このカバー体４４でシャフト８、ガイド部品２０等が室内側から見えないようにする。
【符号の説明】
【００９５】
１…建具枠、２…建具体、４…上枠（第１枠）、５…下枠（第２枠）、５ａ…凹部、６…縦枠（第３枠）、６ａ…ガイド溝、７…網体、７ａ…側縁部、７ｂ…一端縁部、７ｃ…他端縁部、８…シャフト、９…支持部材、１０…面ファスナー、２０…ガイド部品、２１…挿入ガイド溝、３０…補助ガイド部品、３１…補助挿入ガイド溝、Ｓ…空間部。
【図１】
0005682927.tif 000002
【図２】
0005682927.tif 000003
【図３】
0005682927.tif 000004
【図４】
0005682927.tif 000005
【図５】
0005682927.tif 000006
【図６】
0005682927.tif 000007
【図７】
0005682927.tif 000008
【図８】
0005682927.tif 000009
【図９】
0005682927.tif 000010
【図１０】
0005682927.tif 000011
【図１１】
0005682927.tif 000012
【図１２】
0005682927.tif 000013
【図１３】
0005682927.tif 000014
【図１４】
0005682927.tif 000015
【図１５】
0005682927.tif 000016
【図１６】
0005682927.tif 000017
【図１７】
0005682927.tif 000018
【図１８】
0005682927.tif 000019
【図１９】
0005682927.tif 000020
【図２０】
0005682927.tif 000021
【図２１】
0005682927.tif 000022
【図２２】
0005682927.tif 000023
【図２３】
0005682927.tif 000024
【図２４】
0005682927.tif 000025
【図２５】
0005682927.tif 000026
【図２６】
0005682927.tif 000027
【図２７】
0005682927.tif 000028